(57)【要約】【課題】原稿と読取部材または白圧板が接触する機会を少なくして、読取部材にトナーや紙粉等のごみが付着して汚れてしまうのを防止することができ、読取性能が低下するのを抑制することができる画像読取装置およびファクシミリ装置を提供する。【解決手段】原稿の一方の面の画像を読取る密着イメージセンサ２と、密着イメージセンサ２に対向して設けられるとともに密着イメージセンサ２との間で原稿の搬送路を形成し、原稿の読取り時に白基準を構成する白圧板１１１と、原稿の読取り時に白圧板１１１を密着イメージセンサ２に近接させるとともに、原稿の非読取り時に白圧板１１１を密着イメージセンサ２から離隔させるように白圧板１１１を移動させる移動手段とを備える。【選択図】          図３
2004312365.tif 000002
【特許請求の範囲】
【請求項１】
読取位置に原稿を搬送することにより、前記読取位置に設けられた画像読取手段で原稿を読取る自動原稿搬送装置を備えた画像読取装置において、
前記自動原稿搬送装置が、
原稿載置台に載置された原稿束から原稿を１枚ずつ分離して給紙する分離給紙手段と、
前記分離給紙手段によって分離給紙された原稿を反転させて前記読取位置に導く第１搬送路と、
前記読取位置から原稿排紙台に原稿を導く排紙路と、
前記原稿載置台と前記原稿排紙台の間で前記排紙路の延長上に設けられた原稿反転台と、
前記原稿反転台から前記第１搬送路に原稿を導く第２搬送路と、
前記原稿反転台上に設けられ、正逆回転可能なスイッチバック部材と、
原稿の両面搬送モードでは前記読取位置から搬送される原稿を前記原稿反転台に搬送する搬送経路に切換えるとともに、片面搬送モードでは前記読取位置から搬送される原稿を前記原稿排紙台に搬送する搬送経路に切換える切換手段とを備え、
前記画像読取手段が、
前記原稿の一方の面の画像を読取る読取部材と、前記読取部材に対向して設けられるとともに前記読取部材との間で原稿の搬送路を形成し、原稿の読取り時の白基準を構成する白圧板と、原稿の読取り時に前記白圧板を前記読取部材に近接させるとともに、原稿の非読取り時に前記白圧板を前記読取部材から離隔させるように前記白圧板を移動させる移動手段とを備えることを特徴とする画像読取装置。
【請求項２】
前記移動手段が、前記白圧板を押圧する押圧部材と、前記押圧部材が取付けられた回動軸と、前記回動軸に取付けられたアーム部材と、前記アーム部材に取付けられ、前記アーム部材を介して前記回動軸を回動させるソレノイドとを備え、
前記ソレノイドにより前記アーム部材を介して前記回動軸を回動させて前記押圧部材により前記白圧板を押上げることにより、前記白圧板を前記読取部材から離隔させることを特徴とする請求項１記載の画像読取装置。
【請求項３】
請求項１または２記載の画像読取装置を備えたことを特徴とするファクシミリ装置。
【発明の詳細な説明】
【０００１】
【発明の属する技術分野】
本発明は、複写機、ファクシミリ装置、スキャナー装置等の画像読取装置に関し、詳しくは、複数の原稿束から原稿を１枚ずつ分離して一定速度で搬送しながら、読取位置に設けられた画像読取手段により読取らせることができる自動原稿搬送装置を有する画像読取装置およびファクシミリ装置に関する。
【０００２】
【従来の技術】
この種の画像読取装置に搭載された自動原稿搬送装置としては、特許文献１に示すようなものがある。特許文献１に示すものは、スリットガラスおよび読取時の白基準を構成する白圧板によって構成される読取位置に原稿を一定速度で搬送することにより、前記読取位置で静止した画像読取手段によって原稿を読取らせることができる自動原稿搬送装置を備えた画像読取装置において、前記自動原稿搬送装置が、原稿載置台に載置された原稿束から原稿を１枚ずつ分離して給紙する分離給紙手段と、前記分離給紙手段によって分離給紙された原稿を反転させて前記読取位置に導く第１搬送路と、前記読取位置から原稿排紙口を介して原稿排紙台に原稿を導く排紙路と、前記原稿載置台と前記原稿排紙台の間で前記排紙路の延長上に設けられた原稿反転台と、前記原稿反転台から前記第１搬送路へ原稿を導く第２搬送路と、前記原稿反転台上に設けられ、正逆回転可能なスイッチバック部材と、原稿の両面搬送モードまたは片面搬送モードに応じて、前記読取位置から搬送される原稿の搬送経路を原稿排紙台または原稿反転台の何れか一方に切換える切換手段とを備え、両面搬送モード時に原稿反転台に搬送された原稿を第２搬送路に搬送するために切換手段が原稿反転台と第２搬送路を連通するようにしている。
【０００３】
この特許文献１に示すものは、原稿をスイッチバックして再度読取位置に反転して返送することができるため、原稿の搬送路を短くして両面原稿の読取りを行なうための小型な自動原稿搬送装置を提供することができる。
【０００４】
【特許文献１】
特開平１０−２６８４４２号公報
【０００５】
【発明が解決しようとする課題】
しかしながら、このような従来の自動原稿搬送装置にあっては、原稿を読取位置に設けられた白圧板とスリットガラスの間を通過させるようにしているが、原稿がスリットガラスから浮いてしまうことにより原稿の読取り精度が低下するのを防止するために、白圧板とスリットガラスの間の隙間を小さくするようにしているため、原稿が白圧板とスリットガラスの間を通過する際に、原稿と白圧板またはスリットガラスが接触してトナーが剥離したり、紙粉が発生してしまった。
【０００６】
このため、トナーや紙粉がスリットガラスに付着してスリットガラスを汚してしまい、原稿の読取り時に黒すじ等が発生して読取性能が低下してしまった。
【０００７】
特に、両面原稿の読取りを行う場合には、最初に原稿の表面を読取った後、原稿をスイッチバックして裏面の読取りを行い、排紙される原稿の頁順序を確保するため再度スイッチバックして表面を通紙（非読取り）を行うようにしているため、スリットガラスや白圧板にトナーの付着や紙粉の付着による汚れ等の発生頻度が片面読取りに対して相当高くなってしまい、読取り不良が発生し易いという問題があった。
そこで本発明は、原稿と読取部材または白圧板が接触する機会を少なくして、読取部材にトナーや紙粉等のごみが付着して汚れてしまうのを防止することができ、読取性能が低下するのを抑制することができる画像読取装置およびファクシミリ装置を提供することを目的としている。
【０００８】
【課題を解決するための手段】
本発明は、上記課題を解決するため、読取位置に原稿を搬送することにより、前記読取位置に設けられた画像読取手段で原稿を読取る自動原稿搬送装置を備えた画像読取装置において、前記自動原稿搬送装置が、原稿載置台に載置された原稿束から原稿を１枚ずつ分離して給紙する分離給紙手段と、前記分離給紙手段によって分離給紙された原稿を反転させて前記読取位置に導く第１搬送路と、前記読取位置から原稿排紙台に原稿を導く排紙路と、前記原稿載置台と前記原稿排紙台の間で前記排紙路の延長上に設けられた原稿反転台と、前記原稿反転台から前記第１搬送路に原稿を導く第２搬送路と、前記原稿反転台上に設けられ、正逆回転可能なスイッチバック部材と、原稿の両面搬送モードでは前記読取位置から搬送される原稿を前記原稿反転台に搬送する搬送経路に切換えるとともに、片面搬送モードでは前記読取位置から搬送される原稿を前記原稿排紙台に搬送する搬送経路に切換える切換手段とを備え、前記画像読取手段が、前記原稿の一方の面の画像を読取る読取部材と、前記読取部材に対向して設けられるとともに前記読取部材との間で原稿の搬送路を形成し、原稿の読取り時の白基準を構成する白圧板と、原稿の読取り時に前記白圧板を前記読取部材に近接させるとともに、原稿の非読取り時に前記白圧板を前記読取部材から離隔させるように前記白圧板を移動させる移動手段とを備えることを特徴としている。
【０００９】
その場合、原稿の読取り時に白圧板を読取部材に近接させるので、読取部材と白圧板の隙間を原稿の読取りに最適な隙間に設定して両面原稿または片面原稿の読取り確実に行うことができる。
【００１０】
また、排紙される両面原稿の頁順序を揃える場合等のように原稿を通紙するだけの非読取り時には、白圧板を読取部材から離隔させるので、原稿と読取部材または白圧板が接触する機会を少なくして、読取部材にトナーや紙粉等のごみが付着して汚れてしまうのを防止することができ、読取性能が低下するのを抑制することができる。
【００１１】
また、本発明は、上記課題を解決するため、前記移動手段が、前記白圧板を押圧する押圧部材と、前記押圧部材が取付けられた回動軸と、前記回動軸に取付けられたアーム部材と、前記アーム部材に取付けられ、前記アーム部材を介して前記回動軸を回動させるソレノイドとを備え、前記ソレノイドにより前記アーム部材を介して前記回動軸を回動させて前記押圧部材により前記白圧板を押上げることにより、前記白圧板を前記読取部材から離隔させることを特徴としている。
その場合、移動手段の構成の簡素化を図りつつ、白圧板を確実に押圧することができる。
【００１２】
また、本発明は、上記課題を解決するため、上述した画像読取装置を備えたことを特徴としている。
その場合、読取性能が低下するのを抑制することができるので、誤読取りの少ない画像データを送信することができる。
【００１３】
【発明の実施の形態】
以下、本発明の実施形態を図面に基づいて説明する。
図１〜図９は本発明に係る画像読取装置の第１実施形態を示す図であり、画像読取装置としてファクシミリ装置を用いた例を示している。なお、画像読取装置としては、ファクシミリ装置の他に複写機、スキャナー装置等に適用することができる。
【００１４】
まず、構成を説明する。図１〜図４において、１は画像読取装置としてのファクシミリ装置であり、このファクシミリ装置１の上面には密着イメージセンサ２とコンタクトガラス３が設けられている。
【００１５】
密着イメージセンサ（読取部材）２は搬送される原稿を読取るための読取位置上に設けられており、ファクシミリ装置１の上面に固定され、原稿を読取って画像データを出力するようになっている。
【００１６】
コンタクトガラス３の下方には露光ランプ４ａ、ミラー４ｂ、レンズ４ｃおよびＣＣＤ等の固体撮像素子４ｄが設けられており、露光ランプ４ａとミラー４ｂは、コンタクトガラス３に載置された原稿を読取る際にコンタクトガラス３の下方で図１中、左右方向に移動し、露光ランプ４ａによって原稿面を読取った後、この反射光をミラー４ｂ、レンズ４ｃを介して固体撮像素子４ｄに結像し、この固体撮像素子４ｄによって電気信号に変換して画像データを出力するようになっている。
【００１７】
本実施形態では、密着イメージセンサ２が画像読取手段１１０を構成しており、この密着イメージセンサ２に加えて露光ランプ４ａ、ミラー４ｂ、レンズ４ｃおよび固体撮像素子４ｄも画像読取手段１１０に含むものとする。
【００１８】
密着イメージセンサ２および固体撮像素子４ｄから出力される画像データは画像メモリ５に一旦蓄積されるようになっており、この画像データはレーザダイオード６ａからポリゴンミラー６ｂを介して感光体ドラム７に照射されたり、あるいは図示しない通信手段によって通信回線を介して送信されるようになっている。
【００１９】
感光体ドラム７は図示しない帯電ユニットによって帯電されており、感光体ドラム７に照射された画像データは静電潜像となって感光体ドラム７の表面に形成される。この画像データは現像器８によってトナー画像に形成されるようになっており、このトナー画像は給紙カセット９、１０の何れか一方から給紙ローラ９ａまたは１０ａを介して搬送ローラ１１によって給紙され、レジストローラ１２でタイミングを取られて搬送される記録紙上に転写される。
【００２０】
このトナー画像が転写された記録紙は定着ユニット１３によってトナー画像が定着された後、排紙ローラ１４によってファクシミリ装置１内に設けられた排紙部１５に排紙される。
【００２１】
また、ファクシミリ装置１の本体一側面には手差しトレイ１６が開閉可能に設けられており、手差しトレイ１６の開放時にこの手差しトレイ１６にセットされた記録紙は手差し用の給紙ローラ１７によって感光体ドラム７に給紙される。また、ファクシミリ装置１の本体他側面には排紙カバー１８が開閉可能に設けられており、排紙カバー１８の開放時には、切換爪１９が定着ユニット１３と排紙カバー１８とを連通する連通路を確保することにより、記録紙が排紙カバー１８上に排紙される。
【００２２】
なお、レーザダイオード６ａ、ポリゴンミラー６ｂ、感光体ドラム７、現像器８、定着ユニット１３は画像形成手段２０を構成している。
【００２３】
また、ファクシミリ装置１には、上述した画像読取手段１１０および画像形成手段２０に加えて、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、操作・表示部２４が備えられており、これら各部材はＣＰＵバス２５を介して接続されている。
【００２４】
ＣＰＵ２１は本ファクシミリ装置１および自動原稿搬送装置（以下、ＡＲＤＦという）３０のシーケンスを実行するようになっている。ＲＯＭ２２にはＡＲＤＦ３０の制御プログラムが格納されているとともに、ファクシミリ装置１の制御に必要なプログラムが格納されている。ＲＡＭ２３はワークエリアを構成し、ファクシミリ装置１で使用する各種データを格納するようになっている。
【００２５】
一方、ファクシミリ装置１の上部にはＡＲＤＦ３０が装着されており、このＡＲＤＦ３０は図示しないヒンジ等によりファクシミリ装置１に連結されており、ファクシミリ装置１に対して開閉自在となっている。
【００２６】
また、ＡＲＤＦ３０の上部には原稿載置台３１が設けられており、この原稿載置台３１には複数の原稿からなる原稿束Ｐが載置されるようになっている。この原稿載置台３１に載置された原稿束Ｐは給紙ベルト３２によって給紙されるようになっている。
【００２７】
また、給紙ベルト３２の下方には押上げ板３３が設けられており、この押上げ板３３は図４に示すようにＣＰＵ２１によって駆動される押上げソレノイド１００によって給紙ベルト３２に当接する位置およびこの位置から下方に退避する位置の間に移動され、原稿の給紙時に給紙ベルト３２に当接する位置に移動して給紙ベルト３２によって原稿を給紙可能にしている。
【００２８】
また、原稿載置台３１の近傍には光透過型の原稿セットセンサー１０１が設けられており、この原稿セットセンサー１０１は原稿によって押上げられることにより所定位置から退避する図示しないフィラーを検知することにより、原稿の有無を検知してＣＰＵ２１に信号を出力するようになっている。
【００２９】
また、給紙ベルト３２は駆動ローラ３４と従動ローラ３５によって駆動されるようになっており、駆動ローラ３４は給紙クラッチ１０２および図示しないギヤ等を介してステッピングモータ等からなる反転給紙モータ１０３に連結されている。反転給紙モータ１０３はＣＰＵ２１からの信号によって正・逆回転駆動されるとともに給紙クラッチ１０２はＯＮ／ＯＦＦ制御されるようになっており、給紙クラッチ１０２がＯＮされると反転給紙モータ１０３からの駆動力を駆動ローラ３４に伝達することにより、給紙ベルト３２が周回移動されるようになっている。
【００３０】
また、給紙ベルト３２には分離ローラ３６が摺接されており、この分離ローラ３６は反転給紙モータ１０３によって駆動されるようになっている。
【００３１】
本実施形態では、給紙ベルト３２および分離ローラ３６が分離給紙手段を構成しており、この分離給紙手段は、反転給紙モータ１０３が所定方向に駆動され、給紙クラッチ１０２がＯＮされると、給紙ベルト３２が時計方向に周回移動されるとともに、分離ローラ３６が時計方向に回転されることにより、原稿束Ｐから最上位に位置する原稿を分離するようになっている。
【００３２】
また、給紙ベルト３２および分離ローラ３６によって分離された原稿は第１搬送路としてターン経路３７を介して密着イメージセンサ２に向かって搬送される。このターン経路３７上にはプルアウト駆動ローラ３８およびプルアウト従動ローラ３９が設けられており、プルアウト駆動ローラ３８は一方向のみに駆動されるステッピングモータ等からなる搬送モータ１０４によって駆動されることにより、プルアウト従動ローラ３９と共に分離された原稿を挟持してターン経路３７に沿って搬送する。
【００３３】
また、ターン経路３７上には検知手段としてフィルター付きの光反射型のレジストセンサ１０５が設けられており、このレジストセンサ１０５は原稿の前後端を検知してＣＰＵ２１に信号を出力するようになっている。
【００３４】
ＣＰＵ２１はこのレジストセンサ１０５から原稿の先端検知情報に基づいて給紙クラッチ１０２をＯＦＦすることにより反転給紙モータ１０３からの駆動力を駆動ローラ３４に伝達するのを停止して、給紙ベルト３２を原稿に連れ回りさせる。
【００３５】
また、密着イメージセンサ２に対して原稿の搬送方向下流側には排紙路４０が設けられており、この排紙路４０上には補助駆動ローラ４１およびこれに摺接する補助従動ローラ４２と、排紙ローラ４３とこれに摺接する第１従動ローラ４４が設けられており、補助駆動ローラ４１および排紙ローラ４３は搬送モータ１０４によって駆動され、読取りが終了した原稿を原稿排紙口４６に向かって搬送するようになっている。
【００３６】
また、排紙路４０上にはフィルター付きの光反射型の排紙センサ１０６が設けられており、この排紙センサ１０６は原稿の前後端を検知してＣＰＵ２１に信号を出力するようになっている。
【００３７】
また、排紙路４０にはスタンプユニット４７が設けられており、このスタンプユニット４７はスタンプソレノイド１０７によってスタンプを排紙路４０上に出没させることで密着イメージセンサ２を通過した原稿の搬送方向下流側の所定位置に済みスタンプを押印するようになっている。
【００３８】
また、読取りが終了した原稿は原稿排紙口４６から排紙トレイ（原稿排紙台）４８、または反転トレイ（原稿反転台）４９の何れか一方に搬送されるようになっている。反転トレイ４９は排紙トレイ４８と原稿載置台３１の間で排紙路４０の延長上に設けられており、両面搬送モード時に原稿が一旦排紙されるスイッチバック通路を構成している。
【００３９】
また、原稿排紙口４６の下流側には切換爪（切換手段）５０が設けられており、この切換爪５０は切換ソレノイド１０８がＯＮされると密着イメージセンサ２を通過した原稿の搬送位置を反転トレイ４９に搬送する第１位置（実線で示す）に切換えられるとともに、切換ソレノイド１０８がＯＦＦになると排紙トレイ４８に排紙する第２位置（破線で示す）の何れか一方に切換えられるようになっている。
【００４０】
この反転ソレノイド１０８はＣＰＵ２１によって駆動されるようになっており、ＣＰＵ２１は原稿の両面搬送モードまたは片面搬送モータの何れか一方が設定されたときに排紙センサ１０６からの出力情報に基づいて切換制御する。
【００４１】
また、反転トレイ４９上にはスイッチバック部材を構成するスイッチバック駆動ローラ５１およびスイッチバック従動ローラ５２が設けられており、スイッチバック駆動ローラ５１は反転給紙モータ１０３によって正・逆回転駆動され、反転給紙モータ１０３の正転駆動時に時計方向に回転して反転トレイ４９に搬送された原稿の後端をスイッチバックポイント５３まで搬送し、反転給紙モータ１０３の逆転駆動時に反時計方向に回転して反転トレイ４９から原稿を搬出するようになっている。
【００４２】
また、反転トレイ４９は返送路（第２搬送路）５４を介してターン経路３７に接続されており、切換ソレノイド１０８がＯＦＦされて切換爪５０が第２位置に切換えられたときに、反転トレイ４９と返送路５４を連通する。また、排紙ローラ４３は第２従動ローラ５５に摺接しており、この第２従動ローラ５５は排紙ローラ４３と共に原稿を挟持して原稿を返送路５４に沿って案内する。
【００４３】
一方、密着イメージセンサ２の上方には原稿の読取時の白基準を構成する白圧板１１１が対向しており、密着イメージセンサ２と白圧板１１１の間に原稿の搬送路が形成されている。
【００４４】
白圧板１１１は密着イメージセンサ２に近接、離隔するように（上下動するように）ＡＲＤＦ３０の図示しない本体フレームに摺動自在に取付けられており、この白圧板１１１は図５に示す移動手段によって上下動される。
【００４５】
図５に示すように移動手段は、回動軸１１２、レバー１１３ａ、１１３ｂ、アーム部材（押圧部材）１１５および白圧板ソレノイド１１８から構成されている。
【００４６】
レバー１１３ａ、１１３ｂはネジ１１４ａ、１１４ｂによって回動軸１１２に取付けられており、この回動軸１１２の端部にはネジ１１６によってアーム部材１１５が取付けられている。このアーム部材１１５には白圧板ソレノイド１１８のプランジャ１１９が取付けられており、プランジャ１１９の穴１１９ａをアーム部材１１５の開口部１１５ａに位置決めして開口部１１５ａおよび穴１１９ａにピン１１７を係合することにより、プランジャ１１９がアーム部材１１５に固定されている。
【００４７】
本実施形態では、白圧板ソレノイド１１８をＯＦＦにしたときに、図６（ａ）に示すように回動軸１１２が初期回動位置に位置しており、レバー１１３ａ、１１３ｂ上に白圧板１１１が当接して白圧板１１１と密着イメージセンサ２の間の距離が原稿の読取り最適な隙間に設定されるようになっている。
【００４８】
また、白圧板ソレノイド１１８をＯＮにしたときに、図６（ｂ）に示すように回動軸１１２が初期回動位置から一方に回動し、レバー１１３ａ、１１３ｂにより白圧板１１１を上方に押圧して白圧板１１１を密着イメージセンサ２から離隔させるようになっている。
【００４９】
また、白圧板ソレノイド１１８はＣＰＵ２１によって駆動されるようになっており、ＣＰＵ２１は画像の読取り時に白圧板ソレノイド１１８をＯＦＦにするとともに、原稿の搬送時で密着イメージセンサ２がＯＦＦ状態にある非読取り時に白圧板ソレノイド１１８をＯＮするようになっている。
【００５０】
次に、図７〜図９に基づいて作用を説明する。
【００５１】
まず、オペレータが操作・表示部２４によって片面搬送モードを設定すると、押上げソレノイド１００をＯＮして押上げ板３３を上昇させて原稿束Ｐを給紙ベルト３２に当接させるとともに、給紙クラッチ１０２をＯＮして給紙ベルト３２を反転給紙モータ１０３に接続する。
【００５２】
次いで、反転給紙モータ１０３を所定方向に正転駆動するとともに搬送モータ１０４を駆動して給紙ベルト３２および分離ローラ３６によって原稿束Ｐから最上位の原稿を分離した後、プルアウト駆動ローラ３８およびプルアウト従動ローラ３９によって原稿を密着イメージセンサ２に向かって搬送する。
【００５３】
そして、原稿の先端がレジストセンサ１０５によって検知されたとき、モータ１０３、１０４を一旦停止して原稿を停止した後、モータ１０３、１０４を再駆動して密着イメージセンサ２上の原稿を読取位置Ｒに向かって搬送する（図７参照）。
【００５４】
そして、レジストセンサ１０５から読取位置Ｒまでの距離を給紙モータ１０３の回転パルスをカウントするか、または搬送時間を計時することにより検知して、原稿の先端が読取位置Ｒに到達したときに密着イメージセンサ２によって原稿の表面の読取りを開始する。このとき、白圧板ソレノイド１１８はＯＦＦであるため、白圧板１１１が密着イメージセンサ２に近接した位置に移動しており、原稿は白圧板１１１と密着イメージセンサ２によって形成される適正な隙間に通紙されて原稿が密着イメージセンサ２から浮くことがなく密着イメージセンサ２によって読取られる。
【００５５】
このとき、切換ソレノイド１０８がＯＦＦになるため、切換爪５０が排紙トレイ４８に排紙する第２位置（破線で示す）に切換えられるため（図８参照）、原稿は排紙トレイ４８上に排紙される。
【００５６】
一方、オペレータが操作・表示部２４によって両面搬送モードを設定すると、押上げソレノイド１００をＯＮして押上げ板３３を上昇させて原稿束Ｐを給紙ベルト３２に当接させるとともに、給紙クラッチ１０２をＯＮして給紙ベルト３２を反転給紙モータ１０３に接続する。
【００５７】
次いで、反転給紙モータ１０３を所定方向に正転駆動するとともに搬送モータ１０４を駆動して給紙ベルト３２および分離ローラ３６によって原稿束Ｐから最上位の原稿を分離した後、プルアウト駆動ローラ３８およびプルアウト従動ローラ３９によって原稿を密着イメージセンサ２に向かって搬送する。
【００５８】
そして、原稿の先端がレジストセンサ１０５によって検知されたとき、モータ１０３、１０４を一旦停止して原稿を停止した後、モータ１０３、１０４を再駆動して密着イメージセンサ２上の原稿を読取位置Ｒに向かって搬送する（図７参照）。
【００５９】
そして、レジストセンサ１０５から読取位置Ｒまでの距離を反転給紙モータ１０３の回転パルスをカウントするか、または搬送時間を計時することにより検知して、原稿の先端が読取位置Ｒに到達したときに密着イメージセンサ２によって原稿の表面の読取りを開始する。
【００６０】
このとき、白圧板ソレノイド１１８はＯＦＦであるため、白圧板１１１が密着イメージセンサ２に近接した位置に移動しており、原稿は白圧板１１１と密着イメージセンサ２によって形成される適正な隙間に通紙されて原稿が密着イメージセンサ２から浮くことがなく密着イメージセンサ２によって読取られる。
【００６１】
次いで、読取位置Ｒを通過した原稿の先端が排紙センサ１０６によって検知されると、切換ソレノイド１０８をＯＮして切換爪５０を排紙路４０と反転トレイ４９を連通する第１位置に切換えて原稿を反転トレイ４９上に搬送する（図９参照）。
【００６２】
次いで、原稿の後端が排紙センサ１０６によって検知された時点からスイッチバックポイント５３まで原稿の後端が位置するように搬送モータ１０４の回転パルスをカウントし、原稿の後端がスイッチバックポイント５３まで位置したときに搬送モータ１０４の駆動を停止する。
【００６３】
ここで、排紙センサ１０６からの後端検知情報に基づいて原稿が反転トレイ４９に搬送されたか否かを判別し、搬送が開始されたものと判断したときには、原稿の後端がスイッチバックポイント５３上に停止したか否かを判別する。
【００６４】
次いで、反転センサ１０９によって原稿が検知されたか否かを判別し、原稿が検知された場合には、次の動作を実行する。すなわち、原稿の後端がスイッチバックポイント５３に位置したとき、切換ソレノイド１０８をＯＦＦして反転トレイ４９と返送路５４を連通するとともに、反転給紙モータ１０３を所定方向と逆方向に駆動してスイッチバック駆動ローラ５１を反時計方向に回転させ、さらに、搬送モータ１０４を駆動して排紙ローラ４３およびプルアウト駆動ローラ４１を反時計方向に回転して原稿を反転トレイ４９から返送路５４を介してターン経路３７に搬送する。このため、原稿の表裏面が反転されてターン経路３７に搬送される。
【００６５】
そして、原稿の先端がレジストセンサ１０５によって検知されたとき、モータ１０３、１０４を一旦停止して原稿を停止した後、モータ１０３、１０４を再駆動して密着イメージセンサ２上の原稿を読取位置Ｒに向かって搬送する（図７参照）。そして、レジストセンサ１０５から読取位置Ｒまでの距離を反転給紙モータ１０３の回転パルスをカウントするか、または搬送時間を計時することにより検知して、原稿の先端が読取位置Ｒに到達したときに密着イメージセンサ２によって原稿の裏面の読取りを開始する。
【００６６】
このとき、白圧板ソレノイド１１８はＯＦＦであるため、白圧板１１１が密着イメージセンサ２に近接した位置に移動しており、原稿は白圧板１１１と密着イメージセンサ２によって形成される適正な隙間に通紙されて原稿が密着イメージセンサ２から浮くことがなく密着イメージセンサ２によって読取られる。
【００６７】
次いで、読取位置Ｒを通過した原稿の先端が排紙センサ１０６によって検知されると、切換ソレノイド１０８をＯＮして切換爪５０を排紙路４０と反転トレイ４９を連通する第２位置に切換えて原稿を反転トレイ４９上に搬送する。次いで、原稿の後端が排紙センサ１０６によって検知された時点からスイッチバックポイント５３まで原稿の後端が位置するように搬送モータ１０４の回転パルスをカウントし、原稿の後端がスイッチバックポイント５３まで位置したときに搬送モータ１０４の駆動を停止する。
【００６８】
ここで、排紙センサ１０６からの後端検知情報に基づいて原稿が反転トレイ４９に搬送されたか否かを判別し、搬送が開始されたものと判断したときには、原稿の後端がスイッチバックポイント５３上に停止したか否かを判別する。
【００６９】
次いで、反転センサ１０９によって原稿が検知されたか否かを判別し、原稿が検知された場合には、次の動作を実行する。すなわち、原稿の後端がスイッチバックポイント５３に位置した場合には、切換ソレノイド１０８をＯＦＦして反転トレイ４９と返送路５４を連通するとともに、反転給紙モータ１０３を所定方向と逆方向に駆動してスイッチバック駆動ローラ５１を反時計方向に回転させ、さらに、搬送モータ１０４を駆動して排紙ローラ４３およびプルアウト駆動ローラ４１を反時計方向に回転して原稿を反転トレイ４９から返送路５４を介してターン経路３７に搬送する。このため、原稿の裏表面が反転されてターン経路３７に搬送される。
【００７０】
そして、原稿の先端がレジストセンサ１０５によって検知されたとき、モータ１０３、１０４を一旦停止して原稿を停止した後、モータ１０３、１０４を再駆動して密着イメージセンサ２上の原稿を読取位置Ｒに向かって搬送する。
【００７１】
このとき、白圧板ソレノイド１１８をＯＮにすることにより、回動軸１１２を一方向に回動させてレバー１１３ａ、１１３ｂによって白圧板１１１を押上げて密着イメージセンサ２から離隔した位置に移動させ、密着イメージセンサ２による原稿の読取りを行わない。
【００７２】
次いで、切換ソレノイド１０８をＯＦＦして切換爪５０を排紙路４０と排紙トレイ４８を連通する第１位置に切換えて原稿を排紙トレイ４８上に搬送する。このため、原稿はウェースダウンで排紙され（図９）、以後、後続する両面原稿が上記搬送ルートで搬送されることにより、原稿の頁順序が揃えられる。
【００７３】
このように本実施形態では、原稿の読取り時に白圧板１１１を密着イメージセンサ２に近接させるので、密着イメージセンサ２と白圧板１１１の隙間を原稿の読取りに最適な隙間に設定して両面原稿または片面原稿の読取り確実に行うことができる。
【００７４】
また、排紙される両面原稿の頁順序を揃えるだけの非読取り時には、白圧板１１１を密着イメージセンサ２から離隔させるので、原稿と密着イメージセンサ２または白圧板１１１が接触する機会を少なくして、密着イメージセンサ２にトナーや紙粉等のごみが付着して汚れてしまうのを防止することができ、読取性能が低下するのを抑制することができる。
【００７５】
また、本実施形態では、白圧板ソレノイド１１８によりアーム部材１１５を介して回動軸１１２を回動させることにより、レバー１１３ａ、１１３ｂにより白圧板１１１を押上げることにより、白圧板１１１を密着イメージセンサ２から離隔させることができるので、移動手段の構成の簡素化を図ることができる。
【００７６】
また、本実施形態では、ファクシミリ装置１に移動手段を備えたＡＲＤＦ３０を設けたので、読取性能が低下するのを抑制することができ、誤読取りの少ない画像データを送信することができる。
【００７７】
なお、画像読取手段としては密着イメージセンサ２に限らず、密着イメージセンサ２の位置にスリットガラスを設け、上述した露光ランプ４ａとミラー４ｂをスリットガラスの下方まで移動させて停止し、露光ランプ４ａによって原稿面を読取った後、この反射光をミラー４ｂ、レンズ４ｃを介して固体撮像素子４ｄに結像するようにしても良い。
【００７８】
【発明の効果】
本発明によれば、原稿と読取部材または白圧板が接触する機会を少なくして、読取部材にトナーや紙粉等のごみが付着して汚れてしまうのを防止することができ、読取性能が低下するのを抑制することができる画像読取装置を提供することができる。
【図面の簡単な説明】
【図１】本発明に係る画像読取装置の一実施形態の概略構成図である。
【図２】一実施形態の画像読取装置のハード構成図である。
【図３】一実施形態の画像読取装置に搭載された自動原稿搬送装置の概略構成図である。
【図４】一実施形態の自動原稿搬送装置の駆動系、センサ系のブロック図である。
【図５】一実施形態の移動手段の分解構成図である。
【図６】（ａ）は一実施形態の移動手段によって白圧板を押上げない状態を示す図、（ｂ）は一実施形態の移動手段によって白圧板を押上げた状態を示す図である。
【図７】一実施形態の搬送動作を示す図である。
【図８】一実施形態の搬送動作を示す図である。
【図９】一実施形態の搬送動作を示す図である。
【符号の説明】
１    ファクシミリ装置（画像読取装置）
２    密着イメージセンサ（読取部材、画像読取手段）
３０    ＡＲＤＦ（自動原稿搬送装置）
３１    原稿載置台
３２    給紙ベルト（分離給紙手段）
３６    分離ローラ（分離給紙手段）
３７    ターン経路（第１搬送路）
４０    排紙路（排紙路）
４８    排紙トレイ（原稿排紙台）
４９    反転トレイ（原稿反転台）
５０    切換爪（切換手段）
５１    スイッチバック駆動ローラ（スイッチバック部材）
５２    スイッチバック従動ローラ（スイッチバック部材）
５４    返送路（第２搬送路）
１１０    画像読取手段
１１２    回動軸（移動手段）
１１３ａ、１１３ｂ    レバー（押圧部材、移動手段）
１１５    アーム部材（移動手段）
１１８    白圧板ソレノイド（移動手段）
Ｐ    原稿束
【図１】
2004312365.tif 000003
【図２】
2004312365.tif 000004
【図３】
2004312365.tif 000005
【図４】
2004312365.tif 000006
【図５】
2004312365.tif 000007
【図６】
2004312365.tif 000008
【図７】
2004312365.tif 000009
【図８】
2004312365.tif 000010
【図９】
2004312365.tif 000011